(57)【要約】      （修正有）【課題】浮力用の空気室を備えた床材より構成されるプール床において、プール床の浮力の微調整が行えるようにする。【解決手段】プラグ受け１３の筒部１５を空気室４ａの上面にあけられた穴１２に密嵌される。パッキン押えボルト２１と、該ボルト２１に差込まれるパッキン２２と、ボルト２１に捩じ込まれるフランジ付き六角ナット２３とよりなるプラグ１４がプラグ受け１３の筒部１５に嵌挿され、ナット２３の捩じ込みにより、パッキン２２を圧縮して側方に膨張させ、筒部内周面に密着してシールする。浮力調整のため空気室４ａに水を入れるときには、ナット２３を弛めてパッキン２２の膨出を縮小させ、ナット２３をパッキン２２と共に取外す。その後プラグ受け１３を通して水を空気室４ａに注入する。所要量注入すると、ナット２３を締め込みシールする。【選択図】図４
2011246870.tif 000002
【特許請求の範囲】
【請求項１】
１ないし複数の空気室を備えた床材を並設して組み付けてなるプール床において、少なくとも一つの床材には空気室に通ずる穴が形成され、該穴には該穴を塞いでシールするプラグが着脱可能に取付けられることを特徴とするプール床。
【請求項２】
前記プラグがパッキン押えボルトと、該ボルトに通されるパッキンと、ボルトに捩じ込まれ、パッキンを締着するナットとよりなることを特徴とする請求項１記載のプール床。
【請求項３】
プラグは床材の上面に開けられた穴に取付けられることを特徴とする請求項１又は２記載のプール床。
【発明の詳細な説明】
【技術分野】
【０００１】
本発明は、プールに昇降可能に設置されるプール床に関する。
【背景技術】
【０００２】
プール床を昇降させてプールの水深を変えられるようにしたものや、シーズンオフにはプール床を上昇させてフロアとして使用できるようにしたものは既知である。
【０００３】
プール床は通常図１に示すように、横桟１ａと、縦桟１ｂを格子状に組合わせてなるフレーム１と、該フレーム上に横桟１ａと同方向の向きに並べて取付けられる床材２より構成される。
【０００４】
図２は、フレーム１上に取付けられる床材２の一例を示すもので、該床材２は、アルミ、鋼等の金属、好ましくは樹脂の押出成形品で、内部を縦リブ３で仕切って複数の空気室４ａ、４ｂ、４ｃよりなる空気室４を左右対称形に形成し、これによりプール床を軽量化すると共に、浮力を持たせるようにしている。そして左右の側面は上部から下端に向けて内向きに凹み、底壁５の両端は上向きをなす鉤状のフランジ６となっている。
【０００５】
フレーム１への取付に際しては、フレーム上に並設される床材２の隣接する床材同士のフランジ間にボルト８を備えた座金７を掛け渡し、フランジ間でボルト８を挟み込み、かつ該ボルト８をフレーム１に通したのち、該フレーム１より突出するボルト端に座金９を介し、ナット１０を捩じ込むことで床材同士を連結し、固定するようになっている。こうした床材の一例が下記特許文献１に開示されている。
【先行技術文献】
【特許文献】
【０００６】
【特許文献１】特開２００４−２８５７７９号
【発明の概要】
【発明が解決しようとする課題】
【０００７】
前述するように空気室を有する床材からなるプール床は、所要の浮力が得られるように所要の床材の複数ある空気室４の一部に穴を開け、プール床を水中に沈めることで穴から水を注入するか、或いはプール床下に浮力材を取付けていたが、前者の場合、穴があけられた空気室には水が満たされるようになり、水の流入を一部に留めて浮力を微調整することはできない。後者の場合も浮力材で浮力を微調整することは困難である。
【０００８】
本発明の第１の目的は、浮力用の空気室を備えた床材より構成されるプール床において、プール床の浮力の微調整が行えるようにするものであり、第２の目的は、浮力調整が容易に行えるようにするものである。
【課題を解決するための手段】
【０００９】
請求項１に係わる発明は、１ないし複数の空気室を備えた床材を並設して組み付けてなるプール床において、少なくとも一つの床材には空気室に通ずる穴が形成され、該穴には該穴を塞いでシールするプラグが着脱可能に取付けられることを特徴とし、
請求項２に係わる発明は、請求項１に係わる発明のプラグがパッキン押えボルトと、該ボルトに通されるパッキンと、ボルトに捩じ込まれ、パッキンを締着するナットとよりなることを特徴とする。
【００１０】
請求項３に係わる発明は、請求項１又は２に係わる発明において、プラグは床材の上面に開けられた穴に取付けられることを特徴とする。
【発明の効果】
【００１１】
請求項１に係わる発明によると、プール床の浮力の調整は次のようにして行われる。
プラグを取外して穴より空気室内に水を注入する。水を所容量注入した段階で前記穴にプラグを取付け、穴を塞ぐ。空気室内への水の注入量によってプール床の浮力を微調整することができる。
【００１２】
請求項２に係わる発明によると、ナットを緩め、或いは締着することでパッキンでのシールを解除し、或いはシールを簡易に行うことができる。
請求項３に係わる発明によると、プール床上から浮力調整のためのプラグの脱着作業を容易に行うことができる。
【図面の簡単な説明】
【００１３】
【図１】床材の一部を取除いたプール床の平面図。
【図２】フレーム上に取付けられる床材の断面図。
【図３】本発明が適用される床材の断面図。
【図４】プラグ受けにプラグを装着した状態を示す拡大断面図。
【図５】プラグでシールした状態を示す拡大断面図。
【発明を実施するための形態】
【００１４】
以下、本発明の実施形態のプール床に用いられる床材について図面により説明する。
図３に示す床材１１は樹脂製で、図２に示す床材２において、空気室４ａ、４ｂ、４ｃよりなる空気室４のうち、一端の空気室４ａの上面に空気室４ａに通ずる穴１２をあけて同じく樹脂性のプラグ受け１３を密嵌し、該プラグ受け１３にプラグ１４を取付けてなるもので、プラグ受け１３は、図４に示すように前記穴１２に密嵌される筒部１５と、筒部上端の外周に側方に突設され、穴１２のエッジに被さって抜け止めされる鍔部１６と、筒部下端の内周に全周にわたり、或いは周方向に適当間隔をおいて突設される抜け止め用の突起１７とより構成され、筒部上端の内周はエッジが切込みにより段をなし、該部には図示しないカバーが装着されて筒部上端を塞ぐことができるようになっている。
【００１５】
プラグ１４は、プラグ受け１３の筒部１５に挿入され、前記突起１７で抜け止めされるパッキン押えボルト２１と、該ボルト２１に差込まれるゴム又は樹脂製の弾力性を有する環状のパッキン２２と、前記ボルト２１に捩じ込まれるフランジ付き六角ナット２３とからなり、プラグ受け１３に装着した図４のプラグ１４において、ナット２３をレンチ等の工具を用いて捩じ込み、パッキン２２を締着すると、該パッキン２２が圧縮されて側方に膨出し、該パッキン２２と略同径をなすボルト２１のパッキン押え２１ａ及びナット２３のフランジ２３ａより突出してプラグ受け１３の筒部内周面に圧着し（図５）、シールするようになっている。
【００１６】
本実施形態のプラグ１４は以上のように構成され、ナット２３を弛め、パッキン２２への圧縮力を弱めると、側方への膨出量が縮小し、該膨出が解消されると、プラグ受け１３からの取外しが行えるようになり、シールが解除される。
【００１７】
プール床の浮力調整を行うときには、ナットを緩めてプラグを取外し空気室４ａ内に水を注入する。水の注入は所定の浮力が得られる量まで行われ、所定量注入されると、ナット２３を締め込み、シールする。こうして空気室４ａの一部に注入される水の注入量によって浮力を微調整することができ、プラグの脱着作業はプール床上で容易に行うことができる。
【００１８】
前記実施形態では、床材１１に形成される空気室４ａ、４ｂ、４ｃのうち、一部４ａに水を注入できるようになっているが、別の空気室４ｂ又は４ｃに同様にしてプラグ受け１３を取付け、プラグ１４を装着することができる。
【００１９】
前記実施形態では、ボルトとしてパッキン押え２１ａを備えたボルト２１が、またナットとしてフランジ付き六角ナット２３が用いられているが、ボルトには頭部を備えた通常の六角ボルトを用いることができ、またナットには通常の六角ナット或いは袋ナットを用いることができる。
【００２０】
前記実施形態ではまた、床材１１にプラグ受け１３を取付け、プラグ１４をプラグ受け１３に取付けてシールするようになっているが、プラグ受け１３を筒部上端を閉じた構成とし、これを空気室上面の穴１２に密嵌し、プラグ受け自体をプラグとして使用することも可能である。この場合、前記プラグ１４が不要となる。
【００２１】
プール床は、図１に示すようにフレーム上に多数の床材１１を並設して取付けてなるものであるが、個々の床材１１全てに前述するプラグを取付ける必要はなく、プール床中央の床材１１にのみ、或いはプール床を構成する床材１１の適当間隔ごとに前述のプラグを取付けるようにしてもよい。
【００２２】
本実施形態に係わるプラグは図示するような構造の床材１１に限らず、空気室を備えていればどのような構造の床材にも取付けることができる。
【符号の説明】
【００２３】
３・・縦リブ
４、４ａ、４ｂ、４ｃ・・空気室
５・・底壁
６・・フランジ
１１・・床材
１２・・穴
１３・・プラグ受け
１４・・プラグ
１５・・筒部
１６・・鍔部
１７・・突起
２１・・パッキン押えボルト
２２・・パッキン
２３・・フランジ付き六角ナット
【図１】
2011246870.tif 000003
【図２】
2011246870.tif 000004
【図３】
2011246870.tif 000005
【図４】
2011246870.tif 000006
【図５】
2011246870.tif 000007